(57)【要約】【課題】調理の終了時に手動操作による換気運転の切り替えを行う必要がなく、調理の終了と連動して自動的に排出装置が常時換気運転を開始することのできる換気装置を提供することを目的とする。【解決手段】送風機４を設け調理時に使用される調理機器１と連動して運転する排出装置５と、この排出装置５に調理機器１から発信されその運転の信号および停止の信号を受信するために設けられた受信部６が受信した信号に基づいて排出装置５の換気運転を判定する換気運転判定手段７と、この判定に基づいて送風機４の運転を制御する制御部８とを備え、受信した信号が調理機器１の運転の停止信号のときには換気運転判定手段７により排出装置５の運転を低風量の常時換気運転とすることと判定して常時換気運転を開始する構成とする。【選択図】図２
2005226860.tif 000002
【特許請求の範囲】
【請求項１】
調理時に発生する油煙等を排出する送風機を設け、調理時に使用される調理機器と連動して運転する排出装置と、この排出装置に前記調理機器から発信されその運転の信号および停止の信号を受信するために設けられた受信部と、この受信部が受信した信号に基づいて前記排出装置の換気運転を判定する換気運転判定手段と、この換気運転判定手段による判定に基づいて前記送風機の運転を制御する制御部とを備えた換気装置であって、前記受信部が受信した信号が前記調理機器の運転を停止したことを知らす信号のときには前記換気運転判定手段により前記排出装置の運転を低風量の常時換気運転とすることと判定して前記制御部により常時換気運転を開始することを特徴とする換気装置。
【請求項２】
前記制御部を介し手動操作による操作で前記送風機の運転を変更できるスイッチ操作部を備え、前記スイッチ操作部を所定の操作をすることにより、調理機器の停止に連動して前記排出装置が常時換気運転を開始する自動運転に設定できることを特徴とする請求項１記載の換気装置。
【請求項３】
受信部が受信した信号が調理機器を運転する信号のときには換気運転判定手段により排出装置の運転を前記常時換気運転よりも風量の多い局所換気運転とすることと判定して、制御部により前記調理機器の運転開始信号を受信してから所定時間経過後に前記局所換気運転を開始することを特徴とする請求項１または２記載の換気装置。
【請求項４】
受信部が受信した信号が調理機器を運転する信号のときには換気運転判定手段により排出装置の運転を前記常時換気運転よりも風量の多い局所換気運転とすることと判定して、制御部により前記調理機器の運転開始信号を受信すると前記局所換気運転を開始するとともに、前記調理機器の運転の停止信号を受信してから所定時間経過後に常時換気運転を開始することを特徴とする請求項１または２に記載の換気装置。
【請求項５】
調理機器に設けられた調理機器スイッチ操作部を構成し手動で前記調理機器の運転を行なう運転スイッチが操作されたことによる信号、およびあらかじめ決められた調理メニューに対応して自動で前記調理機器の運転を行うために設けられた調理スイッチが操作されたことによる信号に基づいて、前記調理機器の運転信号を受信したときに開始する局所換気運転から、前記調理機器の運転の停止信号を受信したときに開始する常時換気運転に切り替わるまでの遅延時間を決定する遅延時間決定手段を設けたことを特徴とする請求項３記載の換気装置。
【請求項６】
前記遅延時間決定手段で決定される遅延時間を記憶する遅延時間記憶手段を備え、前記調理機器から調理終了の信号を受けたときに、終了した調理メニューの遅延時間が前記遅延時間記憶手段に記憶されている最大の時間の場合はこの遅延時間の計測を開始し、前記遅延時間の計測中に停止信号を受信し、前記遅延時間の残時間が最後に終了した調理メニューの遅延時間よりも大きい場合はこの残時間を局所換気運転から常時換気運転に切替えるまでの遅延時間に設定し、逆に小さい場合は最後に終了した前記調理メニューの遅延時間を局所換気運転から常時換気運転に切替えるまでの遅延時間に設定することを特徴とする請求項５記載の換気装置。
【請求項７】
常時換気運転の風量を決定する常時換気風量決定手段を設けて常時換気運転の風量を設定自在とすることを特徴とする請求項１〜６のいずれかに記載の換気装置。
【請求項８】
スイッチ操作部のスイッチを複数組合せて押すことで常時換気運転の風量を設定自在にしたことを特徴とする請求項７記載の換気装置。
【請求項９】
常時換気運転の風量を外気温の低い冬期のみ小さくする冬期仕様設定手段を設けたことを特徴とする請求項１〜６のいずれかに記載の換気装置。
【請求項１０】
前記冬期仕様設定手段は、温度センサーの検知結果に基づいて冬期仕様の風量に設定することを特徴とする請求項９記載の換気装置。
【発明の詳細な説明】
【技術分野】
【０００１】
本発明は、調理時に発生する油煙等を排出する送風機に油煙等を排出するための局所換気運転と定常的な換気を行なう常時換気運転とを備えた換気装置に関する。
【背景技術】
【０００２】
近年、建築材から発生する化学物質等により汚染された空気を換気するために、定常的な換気を行なう換気装置が要望されており、調理機器を使用する台所や厨房などに、調理時に発生する油煙を排出するための送風機を設けた換気装置にもこのような運転を果たすものが普及してきている。
【０００３】
従来、この種の換気装置は、図８に示されるものが知られている（例えば、特許文献１参照）。以下、その構成について図８を参照しながら説明する。
【０００４】
図８に示すように、調理時に発生する油煙等を排出するようにコンロ（図示せず）の上方に設けられて、内部に送風機１０１を設けたフード状の排出装置１０２に、送風機１０１の運転状態を手動操作で変更するスイッチ操作部１０３を設けて換気装置を構成していた。
【特許文献１】特開２０００−２３０７３６号公報
【発明の開示】
【発明が解決しようとする課題】
【０００５】
しかしながら、このような従来の換気装置では、調理時に発生する油煙等を排出するための局所換気運転と、それ以外の時に建築材から発生する化学物質等により汚染された空気を換気する常時換気運転とを排出装置１０２に設けたスイッチ操作部１０３を手動操作することによって切り替えるというものであったので、調理の開始時および終了時に換気運転の切り替えが面倒であるという課題があり、面倒な切り替え操作をなくすことが要求されている。
【０００６】
本発明は、上記課題を解決するものであり、調理状態に対応する換気運転の切り替えを行う必要がなく、調理機器から発信される信号により、自動的に排出装置が常時換気運転を開始することのできる換気装置を提供することを目的とする。
【課題を解決するための手段】
【０００７】
本発明の換気装置は上記目的を達成するために、調理時に発生する油煙等を排出するように送風機を設け、調理時に使用される調理機器と連動して運転する排出装置と、この排出装置に前記調理機器から発信されその運転の信号および停止の信号を受信するために設けられた受信部と、この受信部が受信した信号に基づいて前記排出装置の換気運転を判定する換気運転判定手段と、この換気運転判定手段による判定に基づいて前記送風機の運転を制御する制御部とを備えた換気装置であって、前記受信部が受信した信号が前記調理機器の運転を停止したことを知らす信号のときには前記換気運転判定手段により前記排出装置の運転を低風量の常時換気運転とすることと判定して前記制御部により常時換気運転を開始することを特徴としたものである。
【０００８】
この手段により、調理状態に対応する換気運転の切り替えを行う必要がなく、調理機器から発信される信号により自動的に排出装置が常時換気運転を開始することのできる換気装置が得られる。
【０００９】
また、前記制御部を介し手動操作による操作で前記送風機の運転を変更できるスイッチ操作部を備え、前記スイッチ操作部を所定の操作をすることにより、調理機器の停止に連動して前記排出装置が常時換気運転を開始する自動運転に設定できることを特徴としたものである。
【００１０】
また、受信部が受信した信号が調理機器を運転する信号のときには換気運転判定手段により排出装置の運転を前記常時換気運転よりも風量の多い局所換気運転とすることと判定して、制御部により前記調理機器の運転開始信号を受信してから所定時間経過後に前記局所換気運転を開始することを特徴としたものである。
【００１１】
また、受信部が受信した信号が調理機器を運転する信号のときには換気運転判定手段により排出装置の運転を前記常時換気運転よりも風量の多い局所換気運転とすることと判定して、制御部により前記調理機器の運転開始信号を受信すると前記局所換気運転を開始するとともに、前記調理機器の運転の停止信号を受信してから所定時間経過後に常時換気運転を開始することを特徴としたものである。
【００１２】
また、調理機器に設けられた調理機器スイッチ操作部を構成し手動で前記調理機器の運転を行なう運転スイッチが操作されたことによる信号、並びにあらかじめ決めらている調理メニューに対応して自動で前記調理機器の運転を行うために設けられた調理スイッチが操作されたことによる信号に基づいて、前記調理機器の運転開始信号を受信したときに開始する局所換気運転から、前記調理機器の運転の停止信号を受信したときに開始する常時換気運転に切り替わるまでの遅延時間を決定する遅延時間決定手段を設けたことを特徴としたものである。
【００１３】
また、前記遅延時間決定手段で決定される遅延時間を記憶する遅延時間記憶手段を備え、前記調理機器から調理終了の信号を受けたときに、終了した調理メニューの遅延時間が前記遅延時間記憶手段に記憶されている最大の時間の場合はこの遅延時間の計測を開始し、前記遅延時間の計測中に停止信号を受信し、前記遅延時間の残時間が最後に終了した調理メニューの遅延時間よりも大きい場合はこの残時間を局所換気運転から常時換気運転に切り替えるまでの遅延時間に設定し、逆に小さい場合は最後に終了した前記調理メニューの遅延時間を局所換気運転から常時換気運転に切り替えるまでの遅延時間に設定することを特徴としたものである。
【００１４】
また、常時換気運転の風量を決定する常時換気風量決定手段を設けて常時換気運転の風量を設定自在とすることを特徴としたものである。
【００１５】
また、制御部を介し手動操作による操作で送風機の運転を変更できるスイッチ操作部のスイッチを複数組合せて押すことで常時換気運転の風量を設定自在にしたことを特徴としたものである。
【００１６】
また、常時換気運転の風量を外気温の低い冬期のみ少なくする冬期仕様設定手段を設けたことを特徴としたものである。
【００１７】
また、前記冬期仕様設定手段は、温度センサーの検知結果に基づいて冬期仕様の風量に設定することを特徴としたものである。
【発明の効果】
【００１８】
本発明の換気装置によれば、調理機器から発信される信号により自動的に排出装置の運転を常時換気運転で開始させることができるので、調理の終了時に別途換気装置に対する面倒な手動操作による切り替えを不要とした換気装置を提供することができる。
【００１９】
また、調理機器の運転または停止信号を受信してから所定時間経過後に、送風機が局所換気運転または常時換気運転を開始するので、必要な場合に適切な換気運転をすされることになり、換気の効率がよく省エネルギー効果のある換気装置を提供することができる。
【００２０】
また、使用環境に合わせて常時換気運転時の風量を選択できるので、様々な使用環境に適応した常時換気運転ができる換気装置を提供することができる。
【発明を実施するための最良の形態】
【００２１】
本発明の請求項１記載の換気装置によれば、調理時に発生する油煙等を排出する送風機を設け、調理時に使用される調理機器と連動して運転する排出装置と、この排出装置に前記調理機器から発信されその運転の信号および停止の信号を受信するために設けられた受信部と、この受信部が受信した信号に基づいて前記排出装置の換気運転を判定する換気運転判定手段と、この換気運転判定手段による判定に基づいて前記送風機の運転を制御する制御部とを備えた換気装置であって、前記受信部が受信した信号が前記調理機器の運転を停止したことを知らす信号のときには前記換気運転判定手段により前記排出装置の運転を低風量の常時換気運転とすることと判定して前記制御部により常時換気運転を開始することを特徴とするので、調理の終了時に面倒な手動操作による換気運転の切り替えが不要で、常時換気運転への切り替え忘れを防止できるという作用効果を有する。
【００２２】
また、本発明の請求項２記載の換気装置によれば、前記制御部を介し手動操作による操作で前記送風機の運転を変更できるスイッチ操作部を備え、前記スイッチ操作部を所定の操作をすることにより、調理機器の停止に連動して前記排出装置が常時換気運転を開始する自動運転に設定できることを特徴とするので、仮に調理機器の停止に連動して排出装置が常時換気運転を開始する自動運転が解除された状態になったとしても、容易に手動運転から自動運転への移行ができ、調理の終了時に面倒な手動操作による換気運転の切り替えが不要である換気装置を維持できるという作用効果を有する。
【００２３】
また、本発明の請求項３記載の換気装置によれば、受信部が受信した信号が調理機器を運転する信号のときには換気運転判定手段により排出装置の運転を前記常時換気運転よりも風量の多い局所換気運転とすることと判定して、制御部により前記調理機器の運転開始信号を受信してから所定時間経過後に前記局所換気運転を開始することを特徴とするので、鍋等を温めている間や調理を始めて間もない頃の湯気や油煙の発生がなく局所換気運転を必要としない場合に、不必要に室内の空気を排出することを防ぎ、必要な場合のみ局所換気運転を行なうことができるという作用効果を有する。
【００２４】
また、本発明の請求項４記載の換気装置によれば、受信部が受信した信号が調理機器を運転する信号のときには換気運転判定手段により排出装置の運転を前記常時換気運転よりも風量の多い局所換気運転とすることと判定して、制御部により前記調理機器の運転開始信号を受信すると前記局所換気運転を開始するとともに、前記調理機器の運転の停止信号を受信してから所定時間経過後に常時換気運転を開始することを特徴とするので、調理終了後にも油煙や調理臭などが残っている場合に、素早く屋外へ排出することができるという作用効果を有する。
【００２５】
また、本発明の請求項５記載の換気装置によれば、調理機器に設けられた調理機器スイッチ操作部を構成し手動で前記調理機器の運転を行なう運転スイッチが操作されたことによる信号、並びにあらかじめ決められている調理メニューに対応して自動で前記調理機器の運転を行うために設けられた調理スイッチが操作されたことによる信号に基づいて、前記調理機器の運転開始信号を受信したときに開始する局所換気運転から、前記調理機器の運転の停止信号を受信したときに開始する常時換気運転に切り替わるまでの遅延時間を決定する遅延時間決定手段を設けたことを特徴とするので、揚げ物、焼き魚、湯沸し等の調理メニューごとに発生する油煙などの状態を考慮した適切な局所換気運転の遅延運転を自動的に行なうことができるという作用効果を有する。
【００２６】
また、本発明の請求項６記載の換気装置によれば、前記遅延時間決定手段で決定される遅延時間を記憶する遅延時間記憶手段を備え、前記調理機器から調理終了の信号を受けたときに、終了した調理メニューの遅延時間が前記遅延時間記憶手段に記憶されている最大の時間の場合はこの遅延時間の計測を開始し、前記遅延時間の計測中に停止信号を受信し、前記遅延時間の残時間が最後に終了した調理メニューの遅延時間よりも大きい場合はこの残時間を局所換気運転から常時換気運転に切り替えるまでの遅延時間に設定し、逆に小さい場合は最後に終了した前記調理メニューの遅延時間を局所換気運転から常時換気運転に切り替えるまでの遅延時間に設定することを特徴とするので、複数の異なる調理メニューの調理を同時に行う場合には、全ての調理が終了したときの状態に応じて遅延時間が設定されるため、使い勝手がよく無駄のない局所換気運転の遅延運転ができるという作用効果を有する。
【００２７】
また、本発明の請求項７記載の換気装置によれば、常時換気運転の風量を決定する常時換気風量決定手段を設けて常時換気運転の風量を設定自在とすることを特徴とするので、設置される部屋の広さの違いによる換気不足や換気過度を改善しやすくなり、適切な風量で常時換気運転させることができるという作用効果を有する。
【００２８】
また、本発明の請求項８記載の換気装置によれば、スイッチ操作部のスイッチを複数組合せて押すことで常時換気運転の風量を設定自在とすることを特徴とするので、使用者が容易に常時換気運転の風量を設定することができ、使用環境や使用者の要求に合わせて自由に変更することもできるという作用効果を有する。
【００２９】
また、本発明の請求項９記載の換気装置によれば、常時換気運転の風量を外気温の低い冬期のみ少なくする冬期仕様設定手段を設けたことを特徴とするので、室内と室外の温度差の大きい冬期に発生しやすいコールドドラフトを抑制して、使用者の快適性を向上させるという作用効果を有する。
【００３０】
また、本発明の請求項１０記載の換気装置によれば、前記冬期仕様設定手段は、温度センサーの検知結果に基づいて冬期仕様の風量に設定することを特徴とするので、外気温の変化に応じて通常仕様と冬期仕様とを自動で切り替えることができ、使用者が寒さを感じてから冬期仕様に設定するということが不要となり、コールドドラフトを効率よく抑制できるとともに、冬期仕様から通常仕様への切り替え忘れを防止することができるという作用効果有する。
【００３１】
以下、本発明の実施の形態について、図面を参照しながら説明する。
【００３２】
（実施の形態１）
図１〜図３に示すように、調理台に加熱調理を行なうための調理機器１を埋設し、調理機器１に調理機器１の運転または停止や火力等を操作する調理機器スイッチ操作部２を設け、調理機器スイッチ操作部２の操作状態を赤外線等の信号で送信する送信部３を調理機器１の天面に設ける。調理機器１としてはガスコンロやＩＨクッキングヒーターが用いられるものである。また、調理機器１を使用して調理したときに発生する油煙等を屋外に排出する送風機４を内部に設け、調理機器１と連動して運転するフード形状の排出装置５を調理機器１の上方に配設する。排出装置５は調理機器１に向かって開口する吸込口を有し、内部に備えた送風機４の吐出口に接続されたダクトを介して屋外と連通している。
【００３３】
排出装置５には調理機器１に設けられた送信部３から送られてきた信号を受信するための受信部６を排出装置５の前面に設け、受信部６に受信された信号に基づいて送風機４の換気運転を局所換気運転であるか常時換気運転であるかを判定する換気運転判定手段７を設け、換気運転判定手段７の判定に基づいて送風機４による換気風量等を制御する制御部８を電子回路で構成して設ける。
【００３４】
排出装置５の前面に設けられたスイッチ操作部９は制御部８を介し送風機４の運転を手動操作による操作で制御できるように設け、また、スイッチ操作部９が操作されたことをブザー音で報知する報知手段１０を設ける。図３は、スイッチ操作部９の詳細を示しており、切スイッチを操作することで送風機４は停止し、常時スイッチ１１を操作することで送風機４は常時換気運転し、弱スイッチを操作することで送風機４は局所換気運転の弱ノッチで運転し、強スイッチを操作することで送風機４は局所換気運転の強ノッチで運転する。また、受信部６は切スイッチと一体となって構成されている。
【００３５】
なお、ここでいう常時換気運転とは、建築材から発生する化学物質等により汚染された室内の空気を低風量で定常的に換気する換気運転である。また、局所換気運転とは、調理時に発生する油煙や調理臭等を常時換気運転よりも多い風量で素早く排出する換気運転である。
【００３６】
上記構成において、例えば送風機４が停止または常時換気運転しているとき、調理を開始するために調理機器スイッチ操作部２を操作し調理機器１を運転させると、送信部３から調理機器スイッチ操作部２の操作に伴い調理機器１の運転開始を示す運転開始信号が発信され、その信号を受信部６が受信すると換気運転判定手段７は局所換気運転と判定し、制御部８は送風機４を調理時に発生する油煙や調理臭等を排出する局所換気運転の風量（例えば強ノッチ）での運転を開始させる。その後に調理が終了し調理機器スイッチ操作部２を操作して調理機器１を停止させると、調理機器スイッチ操作部２の操作に伴い送信部３から調理機器１の停止状態を示す停止信号が発信され、その信号を受信部６が受信すると換気運転判定手段７は常時換気運転と判定し、制御部８は送風機４を建築材から発生する化学物質等により汚染された室内の空気を低風量で換気する常時換気運転の風量での運転を開始させることとなるので、手動操作による換気運転の切り替えが不要となる。
【００３７】
なお、調理の終了を知らせるために調理機器１から送信する手段としては、調理者が積極的に調理機器スイッチ操作部２を操作することの他、調理機器１の自動運転により調理機器１を止めてしまう場合も含んでいる。例えば、鍋底の温度を検知して自動停止する場合や、タイマー運転による停止の場合、調理メニューに則した運転停止の場合などである。
【００３８】
また、使用者が部屋の空気を入れかえるために窓を開けて換気する場合や、換気により寒さを感じる場合等に、常時換気運転を積極的に停止したいときがある。このとき、使用者が、スイッチ操作部９に構成される常時換気運転用の常時スイッチ１１を所定時間（例えば通常のスイッチ操作と区別するために３秒程度）押し続ける等の所定の操作をすることで、調理機器１の停止に連動して排出装置５の常時換気運転を開始させる自動運転を解除することができる。この解除がされると、運転中の排出装置５は調理機器１の停止に連動して常時換気運転を開始しないで停止することになる。また、再度、同様の操作をすることにより、調理機器１の停止に連動して排出装置５の常時換気運転を開始させる自動運転に設定することができる。さらに自動運転の設定または解除を報知するために報知手段１０によりブザーを鳴動させるので、使用者の要求に応じて自動運転を解除できるとともに容易に手動運転から自動運転へ移行ができ、確実に自動運転が設定または解除されたことを使用者が確認することができる。
【００３９】
（実施の形態２）
図４および図５に示すように、調理機器１Ａの運転開始信号または停止信号を受信部６が受信し、換気運転判定手段７が局所換気運転または常時換気運転と判定してから所定時間経過後に送風機４が局所換気運転または常時換気運転を開始するような遅延制御を行なう遅延制御手段１２を排出装置５Ａに設ける。
【００４０】
また、調理機器スイッチ操作部２Ａに手動操作で火力調整して調理を行なう運転スイッチ１３と、あらかじめ決められている調理メニューに対応して自動で火力調整して調理を行なうことができる調理スイッチ１４を設け、運転スイッチ１３からの運転の信号または調理スイッチ１４からの調理メニューの信号に基づいて、排出装置５Ａが調理機器１Ａの運転開始信号を受信したときに開始する局所換気運転から、調理機器１Ａの運転の停止信号を受信したときに開始する常時換気運転に切り替わるまでの遅延時間を決定する遅延時間決定手段１５を設ける。
【００４１】
また、調理機器１Ａの運転中、遅延時間決定手段１５で選択される調理メニューごとの遅延時間を全て記憶可能な遅延時間記憶手段１６を設け、複数種類の調理を行なっている場合に１つの調理が終了し、その終了した調理メニューの終了の信号を受信部６が受信したとき、終了した調理メニューの遅延時間が遅延時間記憶手段１６に記憶されている最大の時間のときはこの遅延時間の計測を開始し、最大の時間でない場合は遅延時間の計測をせずに遅延時間記憶手段１６に記憶されている終了した調理メニューの遅延時間を削除する。
【００４２】
遅延時間の計測中に調理が全て終了し調理機器１Ａの停止の信号を受信したとき、計測中の遅延時間の残時間が最後に終了した調理メニューの遅延時間よりも大きい場合はこの残時間を局所換気運転から常時換気運転に切り替えるまでの遅延時間に設定し、逆に小さい場合は最後に終了した調理メニューの遅延時間を局所換気運転から常時換気運転に切り替えるまでの遅延時間に設定するようにする。
【００４３】
なお、本実施の形態で説明した構成要素のうち、実施の形態１で説明した構成要素と同符号のものは同一構成要素であり、その説明は省略する。
【００４４】
上記構成において、調理機器１Ａから運転開始信号が送信部３から発信され、受信部６が受信すると、換気運転判定手段７は局所換気運転と判定し、制御部８Ａは直ちに送風機４を局所換気運転させるのではなく、例えば送風機４が停止している場合は停止状態を維持し、常時換気運転している場合は常時換気運転を維持させ、遅延制御手段１２を介して所定時間（例えば鍋を温めたり、湯気や油煙が発生するまでの１０秒〜１分程度）遅延させた後に送風機４を局所換気運転させることで、空調機などで快適にした室内の空気を不必要に排出することを防ぐことができる。
【００４５】
同様に、調理機器１Ａから運転開始信号が送信部３から発信され、受信部６が受信すると、換気運転判定手段７は局所換気運転と判定し、制御部８Ａは送風機４を局所換気運転させ、その後に調理機器１Ａから停止状態を示す停止信号が送信部３から発信され、受信部６が受信すると、換気運転判定手段７は常時換気運転と判定し、制御部８Ａは直ちに送風機４を常時換気運転させるのではなく、遅延制御手段１２を介して所定時間（例えば調理臭をなくすための３分程度）の局所換気運転の遅延運転を行なった後に、送風機４を常時換気運転させることとなる。このように即時に常時換気運転に移行せず局所換気運転を所定時間の継続することで、調理終了時にまだ油煙や調理臭が残っている場合にはその状態を改善して局所換気運転の役割を果たした後、常時換気運転に移行させることができる。
【００４６】
また、調理機器スイッチ操作部２Ａに設けられた手動操作で火力調整して調理を行なう運転スイッチ１３を操作して調理を開始すると、通常の運転信号が送信部３より発信され、あらかじめ決められている調理メニュー（例えば、揚げ物、魚焼き、湯沸しなど）に基づき自動で火力調整して調理を行うことができる調理スイッチ１４を操作して調理をすると、それぞれの調理メニューに応じた信号が送信部３から発信される。そして、受信部６が受信した信号に基づき遅延時間決定手段１５は、調理機器１Ａの運転の停止信号を受信したときに開始する常時換気運転に切り替わるまでのあらかじめ定められた遅延時間（例えば通常の運転信号であれば３分、天ぷらなどの揚げ物の調理信号であれば５分、焼き魚の調理信号であれば８分、湯沸しであれば２分と設定する）から選択し遅延時間を決定することとなるので、使用者が調理メニューごとに局所換気運転の遅延運転を変更することは不要となる。
【００４７】
複数の調理を同時に行うときの動作について説明する。例えば、焼き魚と湯沸しを同時に行なうときは、焼き魚の調理スイッチ１４Ｂと湯沸しの調理スイッチ１４Ｂを操作して調理を開始することで、送信部３から焼き魚の信号と湯沸しの信号が発信される。そして、受信部６が焼き魚の信号と湯沸しの信号を受信すると遅延時間決定手段１５はそれぞれの信号に基づく遅延時間８分と２分を選択し、遅延時間記憶手段１６に記憶させる。そして、最初に焼き魚が終了した場合、焼き魚の終了の信号を受信部６が受信すると、焼き魚の遅延時間は８分であり、遅延時間記憶手段１６に記憶されている遅延時間のうち最大の時間であるため、遅延時間制御手段１２は遅延時間８分の計測を開始する。この遅延時間の計測中に湯沸しが終了し全ての調理が終了すると、調理機器１Ａの運転の停止信号が送信部３から発信され、受信部６が受信し遅延制御手段１２は計測中の遅延時間８分の残時間と湯沸しの遅延時間２分とを比較し、残時間が２分以上の場合は遅延時間の計測を続け、２分未満の場合は遅延時間を２分に再設定して計測を開始する。また、遅延時間の計測中に湯沸しが終了せず、調理機器１Ａの停止の信号を受信しなかった場合は、遅延時間記憶手段１６から遅延時間８分は削除される。
【００４８】
逆に、最初に湯沸しが終了し、湯沸しの終了の信号を受信部６が受信したときは、湯沸しの遅延時間２分は遅延時間記憶手段１６に記憶されている遅延時間のうち最大の時間ではないため遅延時間記憶手段１６から遅延時間２分は削除される。
【００４９】
このように複数の調理を行う場合には、調理の経過と共に遅延時間を決定し、局所換気運転の遅延運転をするので、調理臭や油煙や湯気が残ることを防ぐことができるとともに、使い勝手がよく無駄の無い局所換気運転の遅延運転ができる。
【００５０】
（実施の形態３）
図６および図７に示すように、調理機器１Ｂの送信部３からの停止信号を受信部６が受信し、換気運転判定手段７が常時換気運転と判定したときに、常時換気運転をするときの送風機４の換気風量を複数から１つ選択し決定する常時換気風量決定手段１７を設ける。
【００５１】
また、スイッチ操作部９Ａのスイッチを複数組合せて長押しすることで常時換気風量決定手段１７で決定される常時換気運転の換気風量を設定できる構成とする。
【００５２】
また、外気温の低い冬期のみ常時換気運転の風量を少なくする冬期仕様に設定する冬期仕様設定手段１８を設け、さらに冬期仕様設定手段１８を介して外気温を測定する温度センサー１９を備え、温度センサー１９で測定される温度に基づいて自動的に冬期仕様に設定される構成とする。なお、本実施の形態で説明した構成要素のうち、実施の形態１で説明した構成要素と同符号のものは同一構成要素であり、その説明は省略する。
【００５３】
上記構成において、調理機器１Ｂの停止の信号が送信部３から発信され、受信部６が受信し、換気運転判定手段７が常時換気運転と判定し、送風機４が常時換気運転をするときの風量は、常時換気風量決定手段１７を構成する電圧調整用のコンデンサの容量を切替スイッチ（図示せず）を操作し変更することにより、キッチンおよびダイニングといった比較的広い範囲の常時換気運転の風量である常時（強）、またはキッチンのみのような比較的狭い範囲の常時換気運転の風量である常時（弱）のうちから選択できる。常時換気風量決定手段１７は選択された常時換気運転の風量で制御部８Ｂが送風機４を常時換気運転させるようにするので、換気する部屋の広さに応じて常時換気運転の風量を設定することができ、換気不足や換気過度を改善しやすくなり、使用環境に応じた適切な風量で常時換気運転させることができる。
【００５４】
また、常時換気風量決定手段１７で決定される常時換気運転の風量の設定は、スイッチ操作部９Ａのスイッチを構成する常時スイッチ１１Ａと弱スイッチ２０を組み合わせて同時に長押しすることで常時換気運転の風量を常時（弱）に設定することができ、常時スイッチ１１Ａと強スイッチ２１を組み合わせて同時に長押しすることで常時換気運転の風量は常時（強）に設定できるので、使用者が容易に常時換気運転の風量を設定することができ、使用者が常時換気運転の風量が多いため寒さを感じるような場合に風量を少なくしたり、常時換気運転の風量が少なく不快感を感じるような場合に風量を大きくしたりと自由に変更することもできる。
【００５５】
また、外気温の低い冬期に常時換気運転の風量が多いために室内の暖かい空気が過度に排出されて寒さを感じるような場合には、例えば冬期仕様スイッチを操作してスイッチをＯＮ状態にすることにより冬期仕様設定手段１８は冬期仕様に設定し、常時換気運転の風量を通常よりも少なくすることができるので、コールドドラフトを抑制することができる。
【００５６】
また、冬期仕様に設定する別の手段として温度センサー１９で外気温を測定してその検知結果を活用する場合には、温度センサー１９で検知した外気温が例えば１０℃以下になったときに冬期仕様設定手段１８は自動で冬期仕様に設定するので、使用者が寒さを感じてから冬期仕様に設定するということが不要となり、コールドドラフトを効率よく抑制することができる。
【００５７】
なお、実施の形態３では選択できる常時換気運転の風量を常時（弱）、常時（強）として説明したが、４．５畳用、６畳用、８畳用等とそれぞれの換気風量を設定しておくことで、部屋の広さで換気風量を選択できるようにしても同様の作用効果を奏するものである。
【産業上の利用可能性】
【００５８】
本発明は、卓上で使用するホットプレートやカセットコンロなどの調理機器の運転または停止と連動させて、居室等に設置された換気装置を運転または停止させたり、常時換気運転または常時換気運転よりも風量の多い強運転をさせるような用途として有用である。
【図面の簡単な説明】
【００５９】
【図１】本発明の実施の形態１の換気装置の構成を示す正面図
【図２】同換気装置の構成を示すブロック図
【図３】同換気装置のスイッチ操作部の構成を示す正面図
【図４】本発明の実施の形態２の換気装置の構成を示すブロック図
【図５】同換気装置の調理機器スイッチ操作部の構成を示す正面図
【図６】本発明の実施の形態３の換気装置の構成を示すブロック図
【図７】同換気装置のスイッチ操作部の構成を示す正面図
【図８】従来の換気装置を示す正面図
【符号の説明】
【００６０】
１    調理機器
１Ａ  調理機器
１Ｂ  調理機器
２    調理機器スイッチ操作部
２Ａ  調理機器スイッチ操作部
２Ｂ  調理機器スイッチ操作部
３    送信部
４    送風機
５    排出装置
５Ａ  排出装置
５Ｂ  排出装置
６    受信部
７    換気運転判定手段
８    制御部
８Ａ  制御部
８Ｂ  制御部
９    スイッチ操作部
９Ａ  スイッチ操作部
１３  運転スイッチ
１４  調理スイッチ
１５  遅延時間決定手段
１６  遅延時間記憶手段
１７  常時換気風量決定手段
１８  冬期仕様設定手段
１９  温度センサー
【図１】
2005226860.tif 000003
【図２】
2005226860.tif 000004
【図３】
2005226860.tif 000005
【図４】
2005226860.tif 000006
【図５】
2005226860.tif 000007
【図６】
2005226860.tif 000008
【図７】
2005226860.tif 000009
【図８】
2005226860.tif 000010